(57)【特許請求の範囲】
【請求項１】
天井に輻射パネルを設けた天井輻射式空調システムであって、
前記輻射パネルが設けられる天井内の空間をインテリア側とペリメータ側とに仕切り、
この仕切り部に、前記インテリア側の空気を前記ペリメータ側に送風可能な送風機を設け、
ペリメータ熱負荷が低い低負荷時に、前記輻射パネルに設けてある冷水配管に冷水を供給する低負荷運転モードと、
ペリメータ熱負荷が高い高負荷時に、前記送風機を運転して、前記インテリア側の前記輻射パネルの輻射効果によって冷却された前記インテリア側の空気を前記ペリメータ側に供給し、この供給された空気を、前記送風機によって前記ペリメータ側の前記輻射パネルに当てて該輻射パネルから空調空気をペリメータに向けて吹き出す高負荷運転モードとを有し、
前記ペリメータ側の前記輻射パネルは、多数の孔が開けられたガラリ状のパネルであり、前記高負荷運転モードにおいて、前記インテリア側の前記輻射パネルの輻射効果によって冷却されて前記ペリメータ側に供給され、前記ペリメータ側の前記輻射パネルから前記ペリメータに向けて吹き出される風が、前記ペリメータ側の前記輻射パネルを通過して強制対流が生じるよう、前記ペリメータに対面するように斜めに配置してあることを特徴とする天井輻射式空調システム。
【発明の詳細な説明】
【技術分野】
【０００１】
本発明は、天井輻射式空調システムに関するものである。
【背景技術】
【０００２】
従来、天井に設ける輻射パネルが知られている（例えば、特許文献１参照）。また、表面に多数の孔を有する中空構造の輻射パネルによる輻射冷却装置や（例えば、特許文献２参照）、送風ファンと組み合わせた輻射パネル型冷暖房放熱器（例えば、特許文献３参照）が知られている。さらに、天井に輻射パネルを設けた天井輻射式空調システムが知られている（例えば、特許文献４参照）。
【０００３】
上記の天井輻射式空調システムによって室内の冷房を行う場合、ペリメータ負荷はインテリア負荷に比べ熱負荷が大きいため、チルドビーム等の大容量冷却装置を併設して冷房を行っている。
【０００４】
ここで、チルドビームとは、天井に設置されるコイル状の配管からなる装置であり、このコイルに冷水を通水してコイル周囲の空気を冷却し、冷却した空気を対流によって室内下側に下降させ、室内下側にある熱負荷を除去するものである。
【先行技術文献】
【特許文献】
【０００５】
【特許文献１】特開平１０−２３２０３５号公報
【特許文献２】特開平８−２４７４８８号公報
【特許文献３】特開平７−１１９９９９号公報
【特許文献４】特開平８−１７８３７３号公報
【発明の概要】
【発明が解決しようとする課題】
【０００６】
ところで、上記のチルドビームには、自然対流方式のパッシブチルドビームと、空調１次空気を導入する強制対流方式のアクティブチルドビームの二種類があり、ペリメータ空調に適しているのは冷却能力の高いアクティブチルドビームである。ただし、アクティブチルドビームは、送風機を常時運転するため消費電力が大きくなる。また、チルドビームを設置する場合は、パンチングメタル天井にする必要があるため、意匠上の制約が生じる。
【０００７】
本発明は、上記に鑑みてなされたものであって、省エネルギー性と意匠性とに優れた天井輻射式空調システムを提供することを目的とする。
【課題を解決するための手段】
【０００８】
上記した課題を解決し、目的を達成するために、本発明の請求項１に係る天井輻射式空調システムは、天井に輻射パネルを設けた天井輻射式空調システムであって、前記輻射パネルが設けられる天井内の空間をインテリア側とペリメータ側とに仕切り、この仕切り部に、前記インテリア側の空気を前記ペリメータ側に送風可能な送風機を設け、ペリメータ熱負荷が低い低負荷時に、前記輻射パネルに設けてある冷水配管に冷水を供給する低負荷運転モードと、ペリメータ熱負荷が高い高負荷時に、前記送風機を運転して、前記インテリア側の前記輻射パネルの輻射効果によって冷却された前記インテリア側の空気を前記ペリメータ側に供給し、この供給された空気を、前記送風機によって前記ペリメータ側の前記輻射パネルに当てて該輻射パネルから空調空気をペリメータに向けて吹き出す高負荷運転モードとを有し、前記ペリメータ側の前記輻射パネルは、多数の孔が開けられたガラリ状のパネルであり、前記高負荷運転モードにおいて、前記インテリア側の前記輻射パネルの輻射効果によって冷却されて前記ペリメータ側に供給され、前記ペリメータ側の前記輻射パネルから前記ペリメータに向けて吹き出される風が、前記ペリメータ側の前記輻射パネルを通過して強制対流が生じるよう、前記ペリメータに対面するように斜めに配置してあることを特徴とする。
【発明の効果】
【００１２】
本発明によれば、天井に輻射パネルを設けた天井輻射式空調システムであって、前記輻射パネルが設けられる天井内の空間をインテリア側とペリメータ側とに仕切り、この仕切り部に、前記インテリア側の空気を前記ペリメータ側に送風可能な送風機を設けたので、ペリメータ熱負荷が低い場合（低負荷運転時）には、輻射パネルの輻射効果と自然対流効果とにより室内の冷房を行うことができる。
【００１３】
一方、ペリメータ熱負荷が高い場合（高負荷運転時）には、送風機を運転することで、インテリア側の天井内空気をペリメータ側の輻射パネルに当てて吹き出し、ペリメータの冷房を行うことができる。このように、ペリメータ熱負荷が高いときのみ送風機を運転し、熱負荷が低いときは送風機を停止することにより、送風機の動力エネルギーを削減することができる。
【００１４】
また、ペリメータの天井には輻射パネルを設けるので、上述のようにチルドビームを配置する場合のパンチングメタル天井を設ける必要はなく、インテリア側の天井の意匠と統一性を図れる。したがって、省エネルギー性と意匠性とに優れた天井輻射式空調システムを提供することができる。
【図面の簡単な説明】
【００１５】
【図１】図１は、本発明に係る天井輻射式空調システムの実施例を示す側断面図であり、低負荷運転時の図である。
【図２】図２は、本発明に係る天井輻射式空調システムの実施例を示す側断面図であり、高負荷運転時の図である。
【発明を実施するための形態】
【００１６】
以下に、本発明に係る天井輻射式空調システムの実施例を図面に基づいて詳細に説明する。なお、この実施例によりこの発明が限定されるものではない。
【実施例】
【００１７】
図１に示すように、本発明に係る天井輻射式空調システム１０は、室内２の天井４に設けた輻射パネル１２と、輻射パネル１２の天井内の空間１４をインテリア側６とペリメータ側８とに開口１６を通じて通気可能に仕切る仕切り部１８と、仕切り部１８のペリメータ側８に設けた循環ファン２０（送風機）とを備える。
【００１８】
輻射パネル１２は、インテリア側６に配置される輻射パネル１２ａと、ペリメータ側８に配置される輻射パネル１２ｂとで構成され、各輻射パネル１２ａ，１２ｂの上面側には所定の間隔で冷水配管２２が設けてある。ペリメータ側８の輻射パネル１２ｂは、自然対流を促進するように多数の孔２４が開けられたガラリ状のパネルであり、ペリメータＡに対面するように斜めに配置してある。一方、インテリア側６の輻射パネル１２ａは、所定の間隔で開けられた通気穴２６を有し、略水平に配置してある。
【００１９】
上記の構成の動作および作用について説明する。
図１に示すように、ペリメータ熱負荷が低い場合（低負荷運転時）には、各輻射パネル１２ａ，１２ｂの配管２２へ図示しない給水制御手段により冷水供給を行い、各輻射パネル１２ａ，１２ｂの輻射効果と自然対流効果とにより室内２の冷房を行う（低負荷運転モード）。
【００２０】
一方、図２に示すように、ペリメータ熱負荷が高い場合（高負荷運転時）には、天井内の空間１４内の循環ファン２０を運転する（高負荷運転モード）。すると、循環ファン２０は、インテリア側６の輻射パネル１２ａの輻射効果によって冷却されたインテリア側６の天井内空気２８を空調１次空気として吸引し、仕切り部１８の開口１６を通じてペリメータ側８の天井内空間に供給する。
【００２１】
この供給された空気を、循環ファン２０によってペリメータ側８の輻射パネル１２ｂに当ててペリメータＡに向けて吹き出す。吹き出される風がペリメータ側８の輻射パネル１２ｂを通過することによる強制対流の効果によって、ペリメータＡでの冷房能力の増強が図られる。このようにすることで、上述した従来のアクティブチルドビームによるペリメータ空調と同様の冷房効果を得ることができる。
【００２２】
なお、低負荷運転時のペリメータ側８の輻射パネル１２ｂの輻射能力が２００Ｗ／ｍ2である場合には、高負荷運転時の冷房能力は、この輻射パネル１２ｂの輻射能力２００Ｗ／ｍ2と、強制対流能力１００Ｗ／ｍ2とを足し合わせた３００Ｗ／ｍ2となり、ペリメータＡでの冷房能力の向上が図られる。
【００２３】
このように、本発明の天井輻射式空調システム１０によれば、ペリメータＡの天井に輻射パネル１２ｂを配置するので、チルドビームを配置する場合のパンチングメタル天井を設ける必要はなくなる。したがって、インテリア側６の輻射パネル１２ａによる天井の意匠と統一性を図れるなど、意匠的な配慮をすることができる。
【００２４】
また、上述したアクティブチルドビームを設置する場合は、ペリメータのピーク熱負荷で機器容量を選定するため、夏期のピーク熱負荷時以外はオーバースペックとなり、循環ファン用の動力エネルギーも無駄になるおそれがある。しかしながら、本発明の天井輻射式空調システム１０によれば、ペリメータ熱負荷が高いときのみ循環ファン２０を運転し、熱負荷が低いときは循環ファン２０を停止するので、循環ファン２０用の動力エネルギーを削減することができる。
【００２５】
また、本発明の天井輻射式空調システム１０によれば、インテリア側６の輻射パネル１２ａで冷却された天井内空気２８を、循環ファン２０でペリメータ側８の輻射パネル１２ｂに送気することで、ペリメータ処理に有効活用することができる。
【００２６】
上記の実施の形態において、ペリメータ熱負荷を検出するセンサを設け、このセンサで検出したペリメータ熱負荷に応じて、低負荷運転モードと高負荷運転モードとを切り替え制御してもよい。また、手動で運転モードの切り替えを行ってもよい。
【００２７】
以上説明したように、本発明に係る天井輻射式空調システムによれば、天井に輻射パネルを設けた天井輻射式空調システムであって、前記輻射パネルが設けられる天井内の空間をインテリア側とペリメータ側とに仕切り、この仕切り部に、前記インテリア側の空気を前記ペリメータ側に送風可能な送風機を設けたので、ペリメータ熱負荷が低い場合（低負荷運転時）には、輻射パネルの輻射効果と自然対流効果とにより室内の冷房を行うことができる。
【００２８】
一方、ペリメータ熱負荷が高い場合（高負荷運転時）には、送風機を運転することで、インテリア側の天井内空気をペリメータ側の輻射パネルに当てて吹き出し、ペリメータの冷房を行うことができる。このように、ペリメータ熱負荷が高いときのみ送風機を運転し、熱負荷が低いときは送風機を停止することにより、送風機の動力エネルギーを削減することができる。
【００２９】
また、ペリメータの天井には輻射パネルを設けるので、チルドビームを配置する場合のパンチングメタル天井を設ける必要はなく、インテリア側の天井の意匠と統一性を図れる。したがって、省エネルギー性と意匠性とに優れた天井輻射式空調システムを提供することができる。
【産業上の利用可能性】
【００３０】
以上のように、本発明に係る天井輻射式空調システムは、ペリメータ熱負荷がインテリア負荷に比べて大きい熱環境の室内空調に有用であり、特に、省エネルギー性と天井の意匠性とを同時に配慮したい場合の室内空調に適している。
【符号の説明】
【００３１】
２  室内
４  天井
６  インテリア側
８  ペリメータ側
１０  天井輻射式空調システム
１２  輻射パネル
１２ａ  インテリア側の輻射パネル
１２ｂ  ペリメータ側の輻射パネル
１４  天井内の空間
１６  開口
１８  仕切り部
２０  循環ファン（送風機）
２２  冷水配管
２４  孔
２６  通気穴
２８  天井内空気
Ａ  ペリメータ
【図１】
0005565655.tif 000002
【図２】
0005565655.tif 000003